(57)【要約】【課題】部品数及び組み付け工程を減少させることができると共に、美観を向上することができる引き出し型収納庫を備えるビルトイン式コンロを提供する。【解決手段】収納スペースに引き出し自在に設けられる引き出し型収納庫５の、板金加工により形成された引き出しパネル部材６２と、該引き出しパネル部材６２がスライド式に係合される引き出しパネル裏板部材６３とにより構成され、引き出しパネル部材６２には手掛け部７５が折り曲げ形成され、互いに接合された引き出しパネル部材６２と引き出しパネル裏板部材６３との両側面には弾発性をもって係合されるモール部材６４が係合されてなる。【選択図】  図３
2004286271.tif 000002
【特許請求の範囲】
【請求項１】
キッチンユニットのカウンタに落とし込み式に組み込まれ、コンロが配設されるトップレートの下面に加熱バーナスペースを有し、その加熱スペースの下面に収納スペースを有するビルトイン式コンロにおいて、前記収納スペースに引き出し自在に設けられる引き出し型収納庫の前面パネルが、板金加工により形成されたパネル部材と、パネル裏板部材とにより構成され、前記パネル部材には板金加工により手掛け部が折曲形成され、パネル部材とパネル裏板部材との両端面には弾発性をもって係合されるモール部材が係合されてなることを特徴とするビルトイン式コンロ。
【請求項２】
前記モール部材は合成樹脂により形成され、該モール部材と前記パネル裏板部材とのいずれかには係合爪が形成され、他方には該係合爪が係合される係合孔が形成されることを特徴とする請求項１に記載のビルトイン式コンロ。
【発明の詳細な説明】
【０００１】
【発明が属する技術分野】
本発明はキッチンユニットのカウンタに落とし込み式に組み込んで一体的に収納されるビルトイン式ガスコンロに関し、更に詳しくはビルトイン式コンロの収納スペースに引き出し自在に設けられる収納庫の前面パネルの組付構造に関する。
【０００２】
【従来の技術】
システムキッチンのカウンタに落とし込み式に組み込んで収納されるビルトイン式コンロには、カウンタの前面から開閉可能なグリルを備えるタイプのものと備えないタイプのものがある。しかし、ビルトイン式コンロのシステムキッチンへの組み付けスペースや、カウンタ上面及び前面に形成される開口部の寸法は規格で定められており同一であるため、グリルを備えないタイプのものにおいては、スペース的に余裕がある。
【０００３】
このスペースを有効活用する方法として、例えば、グリル無し加熱器の加熱部の底面に断熱材を配設した上で、この加熱部より下部にこの加熱部とは独立した収納部を形成して鏡板を備える抽斗を引き出し自在に配設し、加熱部の前面に配設される前面パネルの高さ寸法と鏡板の高さ寸法の合算寸法が、キャビネット（キッチンカウンタ）の前面開口部の高さ寸法と略同一となるよう設計されるという構成が開発されている（特許文献１参照）。このような構成によれば、調理用器具やその他の小物を収納スペースに備える引き出し型収納庫に収納できるため、ビルトイン式コンロの使い勝手が向上する。
【０００４】
しかしながら、一般的な引き出し型収納庫の前面パネルは、前面パネル本体のほか、収納庫を引き出すための取っ手と、この取っ手をパネルに取り付けるためのネジなどが必要であり、部品点数が増加すると共に組み付け作業工程も増加して製造コストの上昇につながる。また、取っ手などの部材を前面パネルに取り付けると、前面パネルの美観を損なうおそれがある。
【０００５】
【特許文献１】
実用新案登録公報第２５５０２１６号
【０００６】
【発明が解決しようとする課題】
このような課題を解決するため、本発明は引き出し型収納庫の組み付けを簡単容易とすると同時に、外観上の美観を向上させることができ、しかも部品点数及び組み付け工程の減少により製造コストの低廉化を図ることができる引き出し型収納庫を備えるビルトイン式コンロを提供することである。
【０００７】
【課題を解決するための手段】
上記課題を解決するため、請求項１に記載の発明は、キッチンユニットのカウンタに落とし込み式に組み込まれ、コンロが配設されるトップレートの下面に加熱バーナスペースを有し、その加熱スペースの下面に収納スペースを有するビルトイン式コンロにおいて、前記収納スペースに引き出し自在に設けられる引き出し型収納庫の前面パネルが、板金加工により形成されたパネル部材と、パネル裏板部材とにより構成され、前記パネル部材には板金加工により手掛け部が折曲形成され、パネル部材とパネル裏板部材との両端面には弾発性をもって係合されるモール部材が係合されてなることを要旨とするものである。
【０００８】
かかる構成によれば、引き出し型収納庫の前面パネルを組み付けるに際して手掛け部が折曲形成されたパネル部材をスライド式にパネル裏板部材に係合させ、しかる後にその互いに形成されたパネル部材とパネル裏板部材との両面に、モール部材を弾発性をもって係合させることにより、引き出し型収納庫の前面パネルが組み立てられる。そのため、引き出し型収納庫の前面パネル面に引き出し用の取っ手を取り付ける手間がかからず、この取っ手を前面パネル（引き出しパネル部材）に取り付けるためのネジなどの部品も不要で取付工程を省略することもできる。また、パネル部材は金属板材などから板金加工により手掛け部を含めて一体に形成されるものであるため、見栄えの良い前面パネルの美観を呈することもできる。
【０００９】
この場合において、請求項２に記載のように、前記モール部材は合成樹脂により形成され、該モール部材と前記パネル裏板部材とのいずれかには係合爪が形成され、他方には該係合爪が係合される係合孔が形成されたものであれば、モール部材とパネル裏板部材が係合爪と係合孔により係合して簡単に抜脱不能に取り付けられ、パネル部材とパネル裏板部材との横ずれも生じることなく引き出し型収納庫の前面パネルを簡単に組み付けることができる。
【００１０】
【発明の実施の形態】
以下に本発明の一実施の形態について、図面を参照して詳細に説明する。図１は本発明に係るビルトイン式コンロの外観斜視図である。図に示したビルトイン式コンロ（調理用ガステーブルコンロ）１は、キッチンユニットのカウンタに落とし込み式に組み込んで一体的に収納されるもので、カウンタトップに設けられる四角形状の取付孔に落とし込み、左右に張り出させたトッププレート３をその取付孔の内周縁状上に係止させることにより、キッチンユニットのカウンタに一体で収納されてなるものである。
【００１１】
このビルトイン式コンロ１は、トッププレート３の上面に右コンロ７、左コンロ８、奥コンロ９を有し、各コンロ上には五徳が設けられる。そしてトッププレート３の下面には各コンロのガスバーナの収容スペースを有する方形枠形状のバーナ本体部２を備え、更にその下面には取付アングル４により形成される収納スペースを備え、前記バーナ本体部２の前面には操作パネル６が装着されて各コンロのバーナ点火用操作つまみ１０、１１、１２が取り付けられ、また、このコンロを使用するに際してタイマー設定などの各種機能を選択操作できる機能選択操作部１４、及び各種電気制御等の電源電池が収納される電池ケース１５がその操作パネル６の前面と面一に備え付けられている。なお、前記機能選択操作部１４は、プッシュ式に操作パネル６面から前面へパネル面が飛び出し、そのパネル面の各操作ボタンを押すことにより各機能を操作できるようになっている。
【００１２】
引き出し型収納庫５は、図２にその外観斜視図、図３に分解斜視図を示したように、金属板の板金加工により形成される上面が開口した略箱形形状の収納庫本体６０の前面に収納庫前面パネル６１が装着されるもので、収納庫前面パネル６１は、金属板の板金加工により形成される引き出しパネル部材６２と、この引き出しパネル部材６２がスライド式に係合されるパネル裏板部材６３、及び引き出しパネル部材６２とパネル裏板部材６３との係合両端面に弾発性をもって装着されるモール部材６４とにより構成される。
【００１３】
引き出し型収納庫５の収納庫本体６０は、上面及び前面側が開口し、底板９０、側板９１、後板９２から構成される底の浅い略箱状の部材であり、金属板材から板金加工により形成される。側板９１には収納庫の内側面に取り付けられるガイドローラ（図示せず）によってスライドされるガイド部材６５を取り付けるためのガイド部材取付孔９３が形成されると共に、両側板９１、９１の引き出し側付近にはパネル取付金具６６を取り付けるための金具取付孔９４、９４が形成される。また、両側板９１、９１及び後板９２の上端には強度確保及び使用時の安全を確保するため折返し９５が形成される。そしてこの収納庫前面パネル６１はパネル取付金具６６を収納庫本体６０の両側板９１、９１に外側からネジ６８止めすることにより収納庫本体６０の前面に取付けされる。
【００１４】
前記引き出しパネル部材６２は、例えばステンレス板の折曲加工により上辺及び下辺がそれぞれ後面側にほぼ直角に折り曲げられた上折曲辺７１及び下折曲辺７２が形成され、更にその上折曲辺７１及び下折曲辺７２の後端が更に直角に折り曲げられて前記パネル裏板部材６３をスライド式に装着し係止させる係止片７３、７３が形成される。また引き出しパネル部材６２にはやはりプレス折り曲げ加工により長手方向の左右全幅に亘り指先を引っ掛けて引き出すことができるよう前面パネル側が開口した断面略平行四辺形状の凹窪み枠状の手掛け部７５が形成される。この手掛け部７５の裏側面と前記係止片７３、７３の内側面の位置はパネル裏板部材６３がこの引き出しパネル部材６２の手掛け部７５の背面にがたつき無く当接可能なように、ほぼ一致するように寸法設計される。
【００１５】
前記パネル裏板部材６３は、長方形の板金の上辺にあたる一長辺が直角に折り曲げられ、前記引き出しパネル部材６２の上折曲辺７１及び係止片７３の部分に係合される係合片７６が一体に形成される。この係合片７６の幅は前記引き出しパネル部材６２の上折曲辺７１の幅より僅かに小さく、引き出しパネル部材６２の前面と係止片７３との間に挿入可能な寸法を有する。また、このパネル裏板部材６３の四隅近傍には、収納庫本体６０の前面にこの収納庫前面パネル６１を取り付けるためのパネル取付金具６６を装着するための取付孔７８が形成される。
【００１６】
パネル取付金具６６及び押さえ板６７は何れも金属板材から一体に形成される部材である。パネル取付金具６６はアングル状の部材であり、パネル裏板部材６３と当接して固定する面１０１と、収納庫本体６０に当接して固定する面１００とから構成され、各面１００、１０１には取付孔１０２、１０３が形成される。なお、パネル裏板部材６３と当接して固定する面１０１に形成される取付孔１０３は普通の貫通孔であるが、収納庫本体６０に当接して固定する面１００に形成される取付孔１０２はアングルの外側へ向かって張り出すバーリング孔である。また、押さえ板６７は略方形の板材であり、その略中央には貫通孔である取付孔１０４が形成される。
【００１７】
図４はモール部材の外観斜視図であり、（ａ）は裏面側から見た図、（ｂ）は前面側から見た図である。モール部材６４は弾発性を有する合成樹脂による一体成型品であって、その長辺は前記引き出しパネル部材６２の高さ方向の寸法に、短辺は引き出しパネル部材６２の上折曲辺７１及び下折曲辺７２の幅方向寸法それぞれ略同一に形成される。そして、両短辺及び長辺の両端近傍にかけて、外縁から引き出しパネル部材６２を形成する板材の厚さ分だけ内側に略「コ」の字状の第１挿入部８５が立設される。この第１挿入部８５には先端近傍に係止片８７が突設される。また、長辺の中央付近にも断面が略「コ」の字状の第２挿入部８６が対向するように形成される。
【００１８】
これら部材から構成される収納庫前面パネル６１の組み付けは次のようにして行われる。まず引き出しパネル部材６２をパネル裏板部材６３にスライドさせるように係合する。この際、引き出しパネル部材６２の手掛け部７５の背面がパネル裏板部材６３に当接し、引き出しパネル部材６２の係止片７３の内面がパネル裏板部材６３の上下両長辺に係止するため、引き出しパネル部材６２がパネル裏板部材６３に仮固定される。これにより引き出しパネル部材６２とパネル裏板部材６３とにより断面が長方形の筒が形成される。
【００１９】
その後筒状となったの両端の開口部にモール部材６４を挿入し、モール部材６４に形成される係止片８７をパネル裏板部材６３に形成される係止孔７７と係合させる。これによりモール部材６４はパネル裏板部材６３から抜脱不能に固定されると共に、各挿入部８５、８６が引き出しパネル部材６２とパネル裏板部材６３に当接して変形が防止される。これにより、ネジ等を用いる必要がなく、引き出しパネル部材６２、パネル裏板部材６３、モール部材６４が一体的に組み付けられて収納庫前面パネル６１が形成される。
【００２０】
そして図５に示すように、パネル取付金具６６をパネル裏板部材６３に形成される取付孔７８にネジ７９で固定する。そしてパネル取付金具６６が収納庫本体６０の側板９１の内側に当接し、この収納庫本体６０の側板９１の外側に押さえ板６７を当接し、この押さえ板６７をパネル取付金具６６にネジ６８で固定して、収納庫本体６０の側板９１をパネル取付金具６６と押さえ板６７とで挟持するように固定する。これにより、収納庫前面パネル６１と収納庫本体６０とが一体となる。その後収納庫本体６０の側板９１のガイド部材取付孔９３にガイド部材６５を装着する。
【００２１】
最後に、ビルトイン式コンロ１の前面側から取付アングル４に配設されるガイド部材１７と収納庫本体６０の側板９１に配設されるガイド部材６５を係合して取付アングル４内の収納スペースに収納する。
【００２２】
このように構成されたビルトイン式コンロによれば、引き出し型収納庫の前面が外観上、金属パネルのシンプルな見栄えを呈し、収納庫を開けるときには手掛け部に指先を引っ掛けて手前に引くだけで簡単に開けられるし、前面パネルを押すだけで簡単に閉めることができる。そしてこの前面パネルの両サイドはモール部材によって見栄え良く塞がれているので、外観上の美観を向上させることができる。
【００２３】
以上本発明の一実施の形態について詳細に説明したが、本発明は上記実施の形態に限られるものではなく、本発明の趣旨を逸脱しない範囲で種々の改変が可能である。例えば、上記実施例においてはモール部材を合成樹脂製としたが、勿論他の材料であっても構わないし、また、モール部材に係合孔を形成し、パネル裏板部材に逆に係合爪を形成するものであっても良い。その他、手掛け部の断面形状は指先を掛けて引き出すのに適した形状であれば平行四辺形に限られるものではなく、他の形状であっても良い。
【００２４】
【発明の効果】
以上説明したとおり、本願請求項１に記載の発明によれば、パネル部材、パネル裏板部材、モール部材のみで引き出し型収納庫の前面を構成することができ、引き出しパネル部材の前面には引き出しを引き出すための取っ手や、この取っ手を前面パネルに取り付けるためのネジなどの部品を配設することが不要なため、引き出しパネル部材の前面の外観上の美観を向上させることができるとともに、部品点数及び取付工程を削減することができるため、製造コストを削減することができる。
【００２５】
また、請求項２に記載の発明によれば、パネル裏板部材に引き出しパネル部材を装着し、その後モール部材を挿入するのみで前面パネルが一体に構成されるため、前面パネル自体の組み付けにおいてもネジ等の部材が不要で製造工程及び製造コストを削減することができる。
【図面の簡単な説明】
【図１】本発明に係るビルトイン式コンロの外観斜視図である。
【図２】本発明に係るビルトイン式コンロの下部に配設される引き出し型収納庫の外観斜視図である。
【図３】図２に示した収納庫の分解斜視図である。
【図４】図２及び図３に示されるモール部材を拡大して示した外観斜視図である。
【図５】収納庫本体に前面パネルを取り付けるパネル取付金具と引き出し型収納庫本体との組み付け構造を示した分解斜視図である。
【符号の説明】
５  引き出し型収納庫
６０  収納庫本体
６１  収納庫前面パネル
６２  引き出しパネル部材
６３  パネル裏板部材
６４  モール部材
６５  ガイド部材
６６  パネル取付金具
６７  押さえ板
６８  ネジ
７５  手掛け部
７７  係止孔
８７  係止片
【図１】
2004286271.tif 000003
【図２】
2004286271.tif 000004
【図３】
2004286271.tif 000005
【図４】
2004286271.tif 000006
【図５】
2004286271.tif 000007